(57)【要約】      （修正有）【課題】「さっぱり感」に優れる洗浄剤組成物を提供する。【解決手段】（Ａ）一般式（１）2014193963.tif 000007（式中、Ｒ１は、炭素数１〜２２の直鎖又は分岐鎖のアルキル基を示し、Ｍ１、Ｍ２は互いに独立に水素原子、アルカリ金属、アルカリ土類金属、アンモニウム又は塩基性アミノ酸基を示す。）で表されるアルキルコハク酸塩（Ｂ）Ａ以外のアニオン性界面活性剤（Ｃ）精製水よりなり、（Ａ＋Ｂ）／（Ａ＋Ｂ＋Ｃ）が０．５〜５０重量％、且つＡ／Ｂが０．１〜１．０で配合される液体洗浄剤組成物。【選択図】なし【特許請求の範囲】
【請求項１】
（Ａ）一般式（１）
【化１】
2014193963.tif 000006
（式中、Ｒ１は、炭素数１〜２２の直鎖又は分岐鎖のアルキル基を示し、Ｍ１、Ｍ２は互いに独立に水素原子、アルカリ金属、アルカリ土類金属、アンモニウム又は塩基性アミノ酸基を示す。）
で表されるアルキルコハク酸塩
（Ｂ）Ａ以外のアニオン性界面活性剤
（Ｃ）精製水
よりなり、（Ａ＋Ｂ）／（Ａ＋Ｂ＋Ｃ）が０．５〜５０重量％、且つＡ／Ｂが０．１以上、１．０以下で配合される液体洗浄剤組成物。
【請求項２】
Ｂ成分（Ａを除くアニオン性界面活性剤）がポリオキシエチレンアルキルエーテル硫酸塩又はポリオキシエチレンアルキルエーテルカルボン酸塩である請求項１記載の液体洗浄剤組成物。
【請求項３】
さらに（Ｄ）補助界面活性剤として両性界面活性剤、双性界面活性剤、半極性界面活性剤、ノニオン界面活性剤から選ばれる少なくとも１種の補助界面活性剤を含有する請求項１または２記載の液体洗浄剤組成物。
【発明の詳細な説明】
【技術分野】
【０００１】
本発明は、アルキルコハク酸塩を特定量含有することによって得られる「さっぱり感」に優れる液体洗浄剤組成物に関するものである。
【背景技術】
【０００２】
ポリオキシエチレンアルキルエーテル硫酸塩を代表とする合成界面活性剤は、優れた界面活性を有するため、従来より、洗浄剤組成物の主剤としてよく使用されている。
【０００３】
しかしながら、これらの合成界面活性剤は、脂肪酸石鹸類と異なり、すすぎ時にいつまでもヌルヌルとした感触が続き、さっぱりとした感触が得られない。このような合成界面活性剤においても、さっぱりとした感触が得られる技術が求められている。
【０００４】
ポリオキシエチレンアルキルエーテル硫酸塩をすすぎ時にさっぱりとした感触を得るため、特定の電化密度を持ったカチオン性基含有ポリマーを含有する皮膚洗浄剤も提案されている（特許文献１）。
【０００５】
また、乾燥後の滑らかさやサラサラ感を得るためにカチオン性ビニル単量体とアミド結合を有するノニオン性ビニル系単量体とを共重合したカチオン性ポリマーを含有する洗浄剤組成物が提案されている（特許文献２、３）。
【先行技術文献】
【特許文献】
【０００６】
【特許文献１】特開２００８−２８５４７９号報
【特許文献２】特開２００６−３３５９５９号報
【特許文献３】特開２００８−１８９５８３号報
【発明の概要】
【発明が解決しようとする課題】
【０００７】
しかしながら、従来の「さっぱり感」を得る技術は、必須的にカチオン性基含有ポリマーを含有しており、カチオン基含有ポリマーに起因する皮膚刺激性や、使用感と仕上がりがカチオン性ポリマーの性質に影響を受ける点や、無機塩を包含する電解質系薬剤との組み合わせは、安定に配合できる領域も制限されるなどの問題点もあり、満足できるものではなかった。
【０００８】
本発明の課題は、これらの課題を解決する技術を提供することにある。
【課題を解決するための手段】
【０００９】
本発明者らは、すすぎ時の「さっぱり感」に優れる界面活性剤を鋭意検討したところ、起泡性アニオン界面活性剤とアルキルコハク酸塩を特定の比率で配合した場合、優れたすすぎ時の「さっぱり感」を有していることを見出し本発明を完成させた。
【００１０】
本発明の液体洗浄剤組成物は、すすぎ時のヌルつき感を改善するためにカチオン性基含有ポリマーの配合を必須要件としない。
【００１１】
即ち本発明は、
（Ａ）一般式（１）
【００１２】
【化１】
2014193963.tif 000002
【００１３】
（式中、Ｒ１は、炭素数１〜２２の直鎖又は分岐鎖のアルキル基を示し、Ｍ１、Ｍ２は互いに独立に水素原子、アルカリ金属、アルカリ土類金属、アンモニウム又は塩基性アミノ酸基を示す。）
で表されるアルキルコハク酸塩
（Ｂ）Ａ以外のアニオン性界面活性剤
（Ｃ）精製水
よりなり、（Ａ＋Ｂ）／（Ａ＋Ｂ＋Ｃ）が０．５〜５０重量％、且つＡ／Ｂが０．１以上、１．０以下で配合される液体洗浄剤組成物に関する。
【００１４】
Ｂ成分（Ａを除くアニオン性界面活性剤）はポリオキシエチレンアルキルエーテル硫酸塩又はポリオキシエチレンアルキルエーテルカルボン酸塩であることが好ましく、さらにまた（Ｄ）成分として補助界面活性剤を含有する液体洗浄剤組成物に関するものである。
【００１５】
（Ｄ）成分としては、両性界面活性剤、双性界面活性剤、半極性界面活性剤およびノニオン界面活性剤から選ばれる少なくとも１種の補助界面活性剤を挙げることができる。
【発明の効果】
【００１６】
本発明の洗浄剤組成物は、すすぎ時の「さっぱり感」に優れる洗浄剤組成物である。
【図面の簡単な説明】
【００１７】
【図１】製造例１で得られた化合物の核磁気共鳴スペクトル（１Ｈ核）測定の結果を示すチャート。
【発明を実施するための形態】
【００１８】
以下、本発明の実施形態について説明する。
【００１９】
Ａ成分であるアルキルコハク酸塩は、一般式（１）で表される。
【００２０】
【化２】
2014193963.tif 000003
【００２１】
（式中、Ｒ１は、炭素数１〜２２の直鎖又は分岐鎖のアルキル基を示し、Ｍ１、Ｍ２は互いに独立に水素原子、アルカリ金属、アルカリ土類金属、アンモニウム又は塩基性アミノ酸基を示す。）
【００２２】
一般式（１）において、Ｍ１，Ｍ２はカルボキシル基とイオン結合している陽イオンであり、具体的には水素イオン；ナトリウム、カリウム、リチウム等のアルカリ金属イオン；マグネシウム等のアルカリ土類金属イオン；アンモニウムイオン、トリメチルアミンやトリエチルアミン等の低級アミン、リシン、モノ、ジ又はトリ低級アルカノールアミン等から形成される置換アンモニウムイオン等であるが、水素原子、又はＮａ、Ｋ等のアルカリ金属が好ましい。
【００２３】
好適例としては、オクチルコハク酸２Ｎａ、デシルコハク酸２Ｎａ、ドデシルコハク酸２Ｎａが挙げられる。
【００２４】
本発明液体洗浄剤組成物のＢ成分であるＡ以外のアニオン性界面活性剤としては、アルキル硫酸エステル塩、ポリオキシエチレンアルキルエーテル硫酸塩、アルキルベンゼンスルホン酸塩、α−スルホ脂肪酸エステル塩、α−オレフィンスルホン酸塩、アルキルリン酸もしくはアルキルエトキシリン酸エステル塩、脂肪酸塩、ポリオキシエチレンアルキルエーテルカルボン酸塩などのアニオン性界面活性剤が挙げられる。好ましくは、ポリオキシエチレンアルキルエーテル硫酸塩及びポリオキシエチレンアルキルエーテルカルボン酸塩である。
【００２５】
本発明液体洗浄剤組成物のＣ成分である補助界面活性剤は、両性界面活性剤、双性界面活性剤、半極性界面活性剤、ノニオン界面活性剤から選ばれる少なくとも１種又は２種以上であることが好ましい。補助界面活性剤は本発明液体洗浄剤組成部において、初期起泡性の改善、粘度構築等の目的で配合されるが液体洗浄剤組成物に対して０．１〜１０．０％の範囲で配合されることが好ましい。
【００２６】
具体的には、イミダゾリン型、カルボキシベタイン型などの両性界面活性剤、スルホベタイン型等の双性界面活性剤、アミンオキサイド、アミドアミンオキサイド等の半極性界面活性剤、脂肪酸アルカノールアミド、ポリオキシアルキレンアルキルアミン、ポリオキシアルキレンアルキルエーテル等のノニオン界面活性剤が挙げられる。
【００２７】
本発明液体洗浄剤組成物は、（Ａ＋Ｂ）／（Ａ＋Ｂ＋Ｃ）で算出される総界面活性剤濃度は０．５〜５０重量％、より好ましくは１０〜２５重量％である。０．５％未満では洗浄力、起泡力に問題があり好ましくなく、５０％を超えた場合、冬季の溶液固化・ゲル化の問題があり好ましくない。
【００２８】
また、ＡとＢの比率であるＡ／Ｂは、０．１以上、１．０以下の範囲において「さっぱり感」に優れる液体洗浄剤組成物を提供できる。Ａ／Ｂの比率が０．１を下回ってＡの配合量が少ない場合、本発明の効果は十分でない為、好ましくない。１．０を超えてＡの配合量が多い場合、洗浄剤組成物の起泡力が低下するなどの問題があり好ましくない。
【００２９】
本発明液体洗浄剤組成物は、組成物のｐＨを７．０未満、より好ましくは６．５未満に設定することが望ましい。ｐＨが７を超えてアルカリ性を示すと本発明の効果である「さっぱり感」が減少してしまう為好ましくない。ｐＨは７．０未満であれば本発明液体洗浄剤組成物の特徴である「さっぱり感」は維持されるが、起泡性の減少等の問題が発生する可能性がある。
【００３０】
本発明液体洗浄剤には、発明の効果を損なわない範囲で化粧品に用いられる他の成分、例えば、動物、植物、魚貝類、微生物由来の抽出物、粉末成分、液体油脂、固体油脂、ロウ、炭化水素、高級アルコール、エステル類、シリコーン、保湿剤、水溶性高分子、被膜剤、紫外線吸収剤、消炎剤、金属封鎖剤、低級アルコール、糖類、アミノ酸類、有機アミン類、合成樹脂エマルジョン、ｐＨ調整剤、皮膚栄養剤、ビタミン類、酸化防止剤、酸化防止助剤、香料、などを必要に応じて一種乃至は２種以上用いても良い。
【実施例】
【００３１】
本発明の液体洗浄剤組成物を実施例により詳細に説明するが、本発明はこれらの製造例および実施例に限定されるものではない。なお、例中の％は特記しない限り重量基準である。
【００３２】
製造例１  デシルコハク酸２Ｎａの合成
公知の製法にて、１−デセンと無水マレイン酸を反応させ、２−デセニルコハク酸無水物を得た。具体的には、１−デセン１４０．３ｇと無水マレイン酸１２７．５ｇをＳＵＳ製耐圧反応槽に仕込み、窒素ガスで十分に置換した後、温度２００℃で６時間反応した。反応終了後、減圧下に未反応物である１−デセンと無水マレイン酸を留去して黄色の２−デセニルコハク酸無水物２１１．０ｇを得た。
【００３３】
上記操作で得られた２−デセニルコハク酸無水物５０．０ｇとアセトン１５０．０ｇをＳＵＳ製耐圧反応槽に仕込み、ラネーニッケル（川研ファインケミカル社製：ＮＤＨＴ−９０）を２．５ｇ加えた。さらに水素ガスを内圧が０．３ＭＰａ（３．０ｋｇ／ｃｍ
２）になるように吹き込んだ。これを撹拌しながら３０℃まで昇温すると、反応熱により液温が７０℃まで昇温したため、７０℃を保ちながら４時間、加熱撹拌を続けた。冷却後、反応液中に含まれるアセトンを減圧しながら留去するとデシルコハク酸無水物４８．２ｇが得られた。この１Ｈ−ＮＭＲスペクトルを測定した結果を図１に示す。
【００３４】
得られたデシルコハク酸無水物２４ｇに水１２０ｇおよび４８％ＮａＯＨ水溶液１６ｇを加えた。その結果、２０％の下記式（３）で表されるデシルコハク酸２Ｎａを含む水溶液１５０ｇを得た。
【００３５】
【化３】
2014193963.tif 000004
【００３６】
なお、本実施例で用いた分析装置と測定条件は、以下である。
核磁気共鳴装置
ＢＲＵＫＥＲ  ＢＩＯＳＰＩＮ製  ＵＬＴＲＡＳＨＩＥＬＤ  ＰＬＵＳ  ＭＡＧＮＥＴ  ＳＹＳＴＥＭ
測定条件
１Ｈ  ＮＭＲ：４００ＭＨｚ、積算回数８回、２０℃
【００３７】
製造例１で製造したデシルコハク酸２Ｎａ及びポリオキシエチレンアルキルエーテル硫酸塩、ポリオキシエチレンアルキルエーテルカルボン酸塩、カチオン性高分子、脂肪酸モノエタノールアミド、脂肪酸アミドプロピルベタインを用いて、表１に示す組成で、８０℃にて十分撹拌し、均一に溶解した後室温まで冷却して各種洗浄剤組成物を配合した。
【００３８】
表１記載の配合量については、それぞれ有効分としての配合量を示す。４８％水酸化ナトリウム水溶液は洗浄剤組成物がｐＨ６．０になる様に調整し、精製水の配合量でバランスをとった。
【００３９】
これらの皮膚洗浄剤組成物を使用して下記の方法ですすぎ時の感触評価を行った。評価結果を表１に併せて示す。
【００４０】
評価１
＜すすぎ時間の速さ＞
各洗浄剤組成物１．０ｍＬを手に取り、希釈して泡立てた後、水道水ですすいだ。すすぎ開始から石鹸すすぎ時の様なさっぱりしたキシミ感が感じられるまでの時間で評価した。パネラー１０名が評価し、キシミ感が感じられるまでのすすぎ時間の平均を以下の評価基準に従ってランク分けした。
【００４１】
４：さっぱりしたキシミ感が感じられるまでのすすぎ時間が１０秒未満
３：さっぱりしたキシミ感が感じられるまでのすすぎ時間が１０秒以上１５秒未満
２：さっぱりしたキシミ感が感じられるまでのすすぎ時間が１５秒以上２０秒未満
１：さっぱりしたキシミ感が感じられるまでのすすぎ時間が２０秒以上。又は感じられない。
【００４２】
評価２
＜すすぎ終了時の感触＞
上記評価１においてすすぎ時の感触について評価した。パネラー１０名の評価結果から下記の基準で評価した。
【００４３】
Ａ：すすぎ後に石鹸すすぎ時の様なさっぱりしたキシミ感が比較例２と比較して強いと答えた人が８人以上。
Ｂ：すすぎ後に石鹸すすぎ時の様なさっぱりしたキシミ感が比較例２と比較して強いと答えた人が５〜７人。
Ｃ：すすぎ後に石鹸すすぎ時の様なさっぱりしたキシミ感が比較例２と比較して強いと答えた人が２〜４人。
Ｄ：すすぎ後に石鹸すすぎ時の様なさっぱりしたキシミ感が比較例２と比較して強いと答えた人が１人以下。
【００４４】
【表１】
2014193963.tif 000005
【００４５】
表１から明らかなように、「さっぱり感」の感じられない基準処方である比較例１に比較して、本発明液体洗浄剤組成物である実施例１〜５は「さっぱり感」に優れる液体洗浄剤組成物であることが分かる。特に比較例３と実施例３を比較すれば、Ａ／Ｂ値が０．１を超える点より満足すべき「さっぱり感」の改善が実現できることが分かる。
【００４６】
また従来技術の一例であるカチオン性高分子とアニオン性界面活性剤を同時に配合した比較例４は「さっぱり感」の改善効果はみられるもののその効果は少ない。
【００４７】
本発明液体洗浄剤組成物において組成物全体のｐＨは「さっぱり感」に与える影響が大きく、実施例１と実施例６を比較するとｐＨの上昇により「さっばり感」が減少していることが分かる。
【産業上の利用可能性】
【００４８】
本発明の液体洗浄剤組成物は「さっぱり感」に優れるので、食器用洗剤や手洗い洗剤として有用である。
【図１】
2014193963.tif 000008